(57)【要約】ジッパ状スクリーンの一方の側部を案内するレール５２を取り付ける装置５０であって、レール５２を受け入れるチャネル６６を有する、第１長尺部６２および第２長尺部６４を含む長尺状本体６０を備える装置５０。チャネル６６は、長尺状本体に沿った（すなわち、図２に示すようなページに対して垂直な）第１方向７０に延在している開放頂部６８と、開放頂部６８からチャネル６６の反対側の基部７４に向かって、第１方向７０に対して垂直な第２方向７２に延在する深さとを有する。レール５２は、支持機構８０によってチャネル６６内に支持され、支持機構８０は、チャネル６６内に配置されると、第２方向７２に間隔を空けて配置された複数の外形８４Ａ，８４Ｂ，８４Ｃ，８４Ｄを有する、少なくとも１つの支持部材８２を備える。各外形８４Ａ，８４Ｂ，８４Ｃ，８４Ｄは、レール５２をチャネル６６内の異なる深さで支持するように構成される。
2015508852.tif 000002
【特許請求の範囲】
【請求項１】
レールを受け入れるチャネルを有する長尺状本体であって、チャネルが、長尺状本体に沿って第１方向に延在している開放頂部と、開放頂部からチャネルの反対側の基部に向かって第２方向に延在している深さとを有する、長尺状本体と、
チャネル内に配置されるように構成され、チャネル内に受け入れられたレールを支持する支持機構と、を具備する、ジッパ状スクリーンの一方の側部を案内するレールを取り付ける装置において、
支持機構が、チャネル内に配置されると、第２方向に間隔を空けて配置された複数の外形を有する少なくとも１つの支持部材を備え、各外形が、前記レールを前記チャネル内に異なる深さで支持するように構成されることを特徴とする装置。
【請求項２】
前記少なくとも１つの支持部材が、前記チャネル内に受け入れられたレールを弾性的に支持する弾性部分を備える、請求項１に記載の装置。
【請求項３】
前記弾性部分がばね部材を含む、請求項２に記載の装置。
【請求項４】
前記チャネルの少なくとも一方の側壁が、使用時に前記チャネル内に前記少なくとも１つの支持部材を保持する形状である、請求項１〜３のいずれか一項に記載の装置。
【請求項５】
前記チャネルの少なくとも一方の側壁が、前記少なくとも１つの支持部材の一方の側面と係合するように前記側壁に沿って延在する溝を含む、請求項４に記載の装置。
【請求項６】
前記長尺状本体が、第１長尺部と、使用時に前記第１長尺部に結合される第２長尺部とを備え、前記第１長尺部が前記チャネルの第１側壁を画定し、前記第２長尺部が前記チャネルの第２側壁を画定する、請求項１〜５のいずれか一項に記載の装置。
【請求項７】
前記第１長尺部および前記第２長尺部が、前記第２長尺部を前記第１長尺部に分離可能に結合する相互係合可能な外形を有する、請求項６に記載の装置。
【請求項８】
前記第１長尺部が、第２壁に対して傾斜している第１壁を備え、前記第１壁および前記第２壁の各々が、前記第１長尺部を支持面に固定するための前記第１壁および前記第２壁を貫通する取付具を受け入れるように構成される、請求項６または７に記載の装置。
【請求項９】
前記支持機構が一対の支持部材を備え、各々が、前記チャネル内に配置されると、前記第２方向に間隔を空けて配置され、かつ、前記レールを前記チャネル内に異なる深さで支持するように構成された複数の外形を有し、前記支持部材の対が、前記第１方向に間隔を空けて配置される、請求項１〜８のいずれか一項に記載の装置。
【請求項１０】
前記支持部材の対が、その間で前記チャネルの一方の側壁に当接するように構成された固体スペーサ部材を使用して間隔を空けて配置される、請求項９に記載の装置。
【請求項１１】
前記固体スペーサ部材が、一方の面に、使用時に前記チャネルの側壁に当接する少なくとも１つの凹部を有し、前記少なくとも１つの凹部が、局所的な変形、および前記固体スペーサ部材の反対側から固体スペーサ部材を通してねじ込まれるねじの皿穴への埋込みを促進するように構成される、請求項１０に記載の装置。
【請求項１２】
前記少なくとも１つの支持部材が、第１支持部と、使用時に前記第１支持部と係合する第２支持部とを備え、各支持部が前記複数の外形の相補的な構成要素を備える、請求項１〜１１のいずれか一項に記載の装置。
【請求項１３】
前記第１支持部および前記第２支持部が、前記第２支持部を前記第１支持部に係合させる雄および雌の相互係合可能外形を有する、請求項１２に記載の装置。
【請求項１４】
前記第１支持部および前記第２支持部が同一である、請求項１２または１３に記載の装置。
【請求項１５】
スクリーンシステムを設置する方法であって、
ローラに取り付けられるブラインドを備えるジッパ状スクリーンを提供するステップであって、前記ブラインドがその各側部に可撓性ストリップを有し、前記可撓性ストリップの各々がレールのキー溝に係合するように構成される、ステップと、
前記ジッパ状スクリーンをローラとともに意図された位置に取り付けるステップと、
請求項１〜１４のいずれか一項に記載の装置を提供するステップと、
前記ジッパ状スクリーンの一方の側部に前記装置の長尺状本体を取り付けるステップと、
前記ブラインドの一方の側部が、前記少なくとも１つの支持部材に結合されたレールのキー溝に摺動可能に係合するのを可能にするように、前記レールを前記チャネル内の適切な深さに維持する、前記少なくとも１つの支持部材の外形のうちの１つを選択するステップと、
前記少なくとも１つの支持部材の選択された外形にレールを結合するステップと、
を含む方法。
【発明の詳細な説明】
【技術分野】
【０００１】
本発明は、スクリーン等のジッパ状保持器具を採用する新規なスクリーンシステムと、そのスクリーンシステムを取り付ける方法と、限定されないが特に、ジッパ状スクリーンの一方の側部を案内するレールを取り付ける装置とに関する。
【背景技術】
【０００２】
新規なスクリーンシステムは、開口部の両側に配置された、特定の形態のローラブラインドおよび一対のガイドレールを備え、ブラインドが開口部を覆う／開口部から覆いをとるように展開／格納される際にブラインドの位置を制御する。ブライド生地は、その両側部に可撓性ストリップを有し、可撓性ストリップは、レールの各々の特別な形状の溝またはキー溝内に捕えられるがそれに沿って自由に摺動することができる。各可撓性ストリップは、通常、ジッパの片方であるが、ホットメルト合成樹脂またはゴム等の軟質または半硬質ハイポリマーを成形することによって製造することができる。対応するレールに係合するこうした可撓性ストリップを備えたローラブラインドを、以下、ジッパ状スクリーンと呼ぶ。
【０００３】
（特許文献１）は、ガイドレールを緩く取り付ける単純なブラケットを備えたスクリーンシステムの初期の形態を開示している。（特許文献２）は、ガイドレールを緩く取り付ける改善されたブラケットを開示している。図１Ａおよび図１Ｂは、ガイドレールを緩く取り付ける既存のブラケットを示す。図１Ａのブラケット１０は、遮蔽するべき開口部の内周部を形成する表面に固定されるように構成されている一方、図１Ｂのブラケット２０は、追加のフランジ２２を介して、遮蔽すべき開口部から離れる方向に延在している表面に固定されるように構成されている。各ブラケット１０，２０は、アルミニウム押出形材３０と、プラスチック材料の一対のクリップ型ストリップ３２とを備えており、それらは合わせて、レール３４（点線で示す）用のチャネル３３を画定している。レール３４は、弾性発泡体ストリップ３６の対によってチャネル３３内に支持されており、弾性発泡体ストリップ３６は、幾分かの可撓性を提供し、必要な場合にチャネル３３内のレール３４の深さＤが変化するのを可能にする。
【０００４】
ジッパ状スクリーンを備えるブラインドシステムは、ガイドレールが正しく配置された場合にのみ、ブラインドが展開され格納される際にブラインド位置を制御することができる。レールはブラケットに緩く取り付けられるが、ブラケットのわずかな角度のずれ（レールが平行でなくなるかまたは片側にゆがむことになる）により、ブラインドがしわになるかまたは引っかかることになる可能性がある。この問題は、こうしたブラインドシステムでは、縦横比が高い開口部の場合に悪化する。こうしたずれを防止する新規なブラケットは、（特許文献３）において提案された。しかしながら、このシステムの成功は、熟練した職人によって注意深く設置されることに依存するため、大規模なＤＩＹ市場には結び付かなかった。
【先行技術文献】
【特許文献】
【０００５】
【特許文献１】米国特許第４，６３８，８４４号明細書
【特許文献２】英国特許第２２３５００５号明細書
【特許文献３】国際公開第２００９／０９８４３３号
【発明の概要】
【発明が解決しようとする課題】
【０００６】
本発明は、上記した問題に対し、より使い易い方法で対処するかまたは少なくとも改善する目的で考案された。
【課題を解決するための手段】
【０００７】
本発明の第１態様によれば、レールを受け入れるチャネルを有する長尺状本体であって、チャネルが、長尺状本体に沿って第１方向に延在している開放頂部と、開放頂部からチャネルの反対側の基部に向かって第２方向に延在している深さとを有する、長尺状本体と、チャネル内に配置されるように構成され、チャネル内に受け入れられたレールを支持する支持機構とを備える、ジッパ状スクリーンの一方の側部を案内するレールを取り付ける装置において、支持機構が、チャネル内に配置されると、第２方向に間隔を空けて配置された複数の外形を有する少なくとも１つの支持部材を備え、各外形が、レールをチャネル内において異なる深さで支持することを特徴とする装置が提供される。
【０００８】
こうした装置により、そのまたは各支持部材は、ジッパ状スクリーンの一方の側部との正しい位置合せを達成するために、設置中にチャネル内のレールの局所的な位置（すなわち深さ）が調整されるのを可能にする。たとえば、その支持部材または各支持部材の複数の外形を、チャネル内において３つまたはさらには４つの異なる深さ等、チャネル内において少なくとも２つの異なる深さのうちの１つでレールを支持するように構成することができる。したがって、長尺状本体がジッパ状スクリーンの一方の側部からわずかに位置がずれる場合であっても、支持部材を使用して、位置ずれを補償し、ジッパ状スクリーンがしわになることも引っかかることもなくレールによって案内され得ることを確実にするのに役立つ。
【０００９】
少なくとも１つの支持部材は、チャネル内に受け入れられたレールを弾性的に支持する弾性部分を備える。弾性部分を、レールをチャネルの開放頂部に向かって引っ張る傾向がある、レールに対して加えられた負荷に応じて、チャネルの開放頂部に向かう複数の外形の移動を可能にするように構成することができる。こうした移動の程度は、第２方向における複数の外形のスパンより小さくすることができる。弾性部分はばね部材を含むことができる。
【００１０】
チャネルの少なくとも一方の側壁は、使用時に少なくとも１つの支持部材をチャネル内に保持する形状とすることができる。たとえば、チャネルの少なくとも一方の側壁は、少なくとも１つの支持部材の一方の側面と係合するようにその側壁に沿って延在する溝を含むことができる。少なくとも１つの支持部材の少なくとも一方の側面は、溝内の滑り嵌め部（ｓｌｉｄｉｎｇ  ｆｉｔ）であり得る。一構成では、少なくとも１つの支持部材の少なくとも一方の側面を、少なくとも１つの支持部材の弾性部分によって溝内に弾性的に偏らせることができる。
【００１１】
長尺状本体は、第１長尺部と、使用時に第１長尺部に結合される第２長尺部とを備えることができ、第１長尺部はチャネルの第１側壁を画定し、第２長尺部はチャネルの第２側壁を画定する。こうした構成により、装置を、後に説明するように、第１長尺部で開始して「層」状に設置することができる。第１長尺部および第２長尺部は、第２長尺部を第１長尺部に分離可能に結合する相互係合可能な外形を有することができる。第１長尺部は、第２壁に対して傾斜している第１壁を備えることができ、第１壁および第２壁の各々は、第１長尺部を支持面に固定するための第１壁および第２壁を貫通する取付具を受け入れるように構成されている。第１壁を、第２壁に対して約９０°で傾斜させることができる。このように、第１壁または第２壁を通って延在する取付手段を単に使用することにより、第１長尺部を、遮蔽するべき開口部（たとえば窓抱き）の内周の一部を形成するか、またはそこから離れて横方向に延在する支持面に取り付けることができる。第１長尺部は、実質的に「Ｌ」字型断面を有することができ、第１壁および第２壁の各々に対する妨げられないアクセスを可能にする。第１長尺部が適所に固定され支持機構およびレールが第１長尺部に対して適所に押し込まれると、第２長尺部を第１長尺部に結合するだけでよい。
【００１２】
支持機構は、一対の支持部材を備えることができ、各々、チャネル内に配置されると、第２方向に間隔を空けて配置され、かつ、レールをチャネル内において異なる深さで支持するように構成された、複数の外形を有し、支持部材の対は、第１方向において間隔を空けて配置されている。こうした構成により、レールを、支持部材の対のうちの一方によりチャネル内において第１深さで支持し、支持部材の対のうちの別の方によりチャネル内において第２深さで支持することができる。第１深さおよび第２深さは同じであっても異なっていてもよい。第１深さおよび第２深さが異なる場合、レールの少なくとも一部は、チャネル内において角度をなして支持される。
【００１３】
支持部材の対を、支持部材の対の間でチャネルの一方の側壁に当接するように構成された固体スペーサ部材を使用して間隔を空けて配置することができる。固体スペーサ部材は、ジッパ状スクリーンが暗幕ブラインドとして使用されている場合に重要であり得る、支持部材の対の間を光が通過するのを阻止するのに役立ち得る。固体スペーサ部材は、一方の面に、使用時にチャネルの側壁に当接する少なくとも１つの凹部を有することができ、少なくとも１つの凹部は、たとえば、装置を支持面に固定すると、局所的な変形、および反対側から固体スペーサ部材を通してねじ込まれるねじの皿穴への埋込みを促進するように構成されている。
【００１４】
少なくとも１つの支持部材は、実質的に「Ｕ」字型断面を有することができ、第１支持部と、使用時に第１支持部と係合する第２支持部とを備え、各支持部は、複数の外形の相補的な構成要素を備えている。こうした構成により、少なくとも１つの支持部材を一度に一方の支持部、チャネル内に導入することができる。第１支持部および第２支持部は、第２支持部を第１支持部に係合させる雄および雌の相互係合可能外形を有することができる。第１支持部および第２支持部は同一であって、各支持部が、雄および雌の相互係合可能外形をともに有していてもよい。
【００１５】
本発明の別の態様によれば、スクリーンシステムを設置する方法であって、ローラに取り付けられるブラインドを備えるジッパ状スクリーンを提供するステップであって、ブラインドがその各側部に可撓性ストリップを有し、可撓性ストリップの各々がレールのキー溝に係合するように構成される、ステップと、ジッパ状スクリーンをローラとともに意図された位置に取り付けるステップと、本発明の第１態様による装置を提供するステップと、ジッパ状スクリーンの一方の側部に装置の長尺状本体を取り付けるステップと、レールをチャネル内の適切な深さに維持して、ブラインドの一方の側部が、少なくとも１つの支持部材に結合されたレールのキー溝に摺動可能に係合するのを可能にする、少なくとも１つの支持部材の外形のうちの１つを選択するステップと、少なくとも１つの支持部材の選択された外形にレールを結合するステップとを含む方法が提供される。
【００１６】
本発明の第２態様は、本発明の第１態様に関して説明した特徴のうちのいずれかを含むことができる。
ここで、本発明の実施形態について、添付の図面を参照して説明する。
【図面の簡単な説明】
【００１７】
【図１Ａ】ジッパスクリーンを案内するレールを取り付けるための従来技術によるブラケットを示す概略図。
【図１Ｂ】ジッパスクリーンを案内するレールを取り付けるための従来技術によるブラケットを示す概略図。
【図２】本発明を採用する装置の断面図。
【図３】図２に示す装置の第１長尺部の詳細を示す斜視図。
【図４】図２に示す装置の支持部材の詳細を示す斜視図。
【図５】図４に示す支持部材の詳細を示す斜視図。
【図６】図２に示す装置のアセンブリの詳細を示す斜視図。
【図７】図６に示す構成要素の詳細を示す斜視図。
【図８】図２に示す装置のさらなるアセンブリの詳細を示す斜視図。
【図９】図２に示す装置のさらなるアセンブリの詳細を示す斜視図。
【図１０】図２に示す装置の斜視図。
【図１１】図２の装置を使用するジッパ状スクリーンシステムを示す図。
【発明を実施するための形態】
【００１８】
図２は、ジッパ状スクリーン（図示せず）の一方の側部を案内するキー溝５４を備えたレール５２を取り付けるように構成されている、本発明を具現化する装置５０の断面図を示す。装置５０は、レール５２を受け入れるチャネル６６を有する、第１長尺部６２および第２長尺部６４を含む長尺状本体６０を備えている。チャネル６６は、長尺状本体に沿った（すなわち、図２に示すようなページに対して垂直な）第１方向７０に延在している開放頂部６８と、開放頂部６８からチャネル６６の反対側の基部７４に向かって、第１方向７０に対して垂直な第２方向７２に延在する深さとを有している。レール５２は支持機構８０によってチャネル６６内に支持され、支持機構８０は、チャネル６６内に配置されると、第２方向７２において間隔を空けて配置された複数の外形８４Ａ，８４Ｂ，８４Ｃ，８４Ｄを有する、少なくとも１つの支持部材８２を備えている。各外形８４Ａ，８４Ｂ，８４Ｃ，８４Ｄは、レール５２をチャネル６６内の異なる深さで支持するように構成されている。図２に示すように、支持部材８２は４つの外形８４Ａ，８４Ｂ，８４Ｃ，８４Ｄを有し、レール５２は、最も低い外形８４Ｄにより、チャネル６６内の最も深い位置において支持されている。
【００１９】
図３に、長尺状本体６０の第１長尺部６２を示す。第１長尺部は、第１壁９０と、第１壁９０に対して約９０°の角度をなしている第２壁９２とを備え、「Ｌ」字型断面をもたらしている。第１壁９０および第２壁９２にはともに、一方または他方の壁９０，９２を支持面に固定するときにねじを受け入れる切欠き９４がある。第１長尺部６２の第１壁９０は、チャネル６６の第１側壁９６を画定する。チャネル６６の第１側壁９６は、チャネル６６内に支持機構８０を保持する溝９８を含む。図４に示すように、支持機構８２の各支持部材８２は、使用時に実質的に「Ｕ」字型断面を有し、第１支持部１００および第２支持部１０２を備えている。第１支持部１００および第２支持部１０２は同一であり、したがって、各々、第１支持部１００および第２支持部１０２を合わせて分離可能に相互接続する雄コネクタ１０６および雌コネクタ１０８両方とともに、複数の外形８４Ａ，８４Ｂ，８４Ｃ，８４Ｄの相補的構成要素１０４が設けられている本体１０５を備えている。
【００２０】
図５に、第１支持部１００および第２支持部１０２の構造をより詳細に示す。外形８４Ａ，８４Ｂ，８４Ｃ，８４Ｄの構成要素１０４は、本体１０５から突出する一連のタブ１１０の形態である。各タブ１１０は、隣接するタブ１１０の間の空間に狭窄部を画定するように拡大前端部分１１２を有している。本体１０５は、加えられる負荷Ｌ下で撓曲するように構成されたばね部材１１４の形態で設けられた弾性部分を含む。本体１０５は、第１長尺部６２の溝９８内の滑り嵌め部である。
【００２１】
図６に示すように、第１支持部のうちの２つ１００，１００’は、第１長尺部６２の溝９８内に導入される。２つの第１支持部１００，１００’は、固体スペーサ部材１２０によって分離され、固体スペーサ部材１２０もまた溝９８内の滑り嵌め部である。固体スペーサ部材１２０は、使用中に２つの第１支持部１００，１００’の間の最小限の分離を維持するだけでなく、２つの第１支持部１００，１００’の間の光の透過を遮蔽するのにも役立つ。第１長尺部６２を、固体スペーサ部材１２０を貫通するねじ１２４を使用して支持面１２２に固定することができる。固体スペーサ部材１２０の可視面上のマーク１２６は、ねじを壁９０にねじ込むのに役立つように切欠き９４と位置が合う。マーク１２６はまた、図７に示すように、固体スペーサ部材１２０の下側の凹部１２８とも位置が合う。凹部１２８は、固体スペーサ部材１２０の光を遮蔽する役割を損なうことなく、ねじを固体スペーサ部材１２０にねじ込むときに固体スペーサ部材１２０の局所的な変形を促進して、ねじを皿穴に埋めるのを可能にする。
【００２２】
装置５０を組み立てる次のステップは、２つの第１支持部１００，１００’の外形８４Ａ，８４Ｂ，８４Ｃ，８４Ｄの選択された構成要素１０４にレール５２を結合することを含む。レール５２は、スナップ嵌め操作によりタブ１１０間の空間と係合するように構成されている拡大縁部分１３２を備えた側方フランジ１３０を有している。拘束されない場合、レール５２はその長さに沿って撓曲することができ、それは、第１長尺部６２に対して平行に設置する必要がないことを意味する。たとえば、レール５２の第１端１３４を、第１支持部１００の頂部に向かって外形８４Ａの構成要素１０４と係合させることができ、レール５２の第２端１３６を、第１支持部１００’の底部に向かって外形８４Ｃの構成要素１０４と係合させることができる。後により詳細に説明するように、ジッパ状スクリーンがしわになるかまたは引っかかることなくレール５２によって案内され得ることを確実にするために、レール５２を第１係合部６２に対してそのように傾斜させなければならない場合がある。しかしながら、簡潔化のために、図８は、レール５２が両第１支持部１００，１００’の外形８４Ｄの構成要素１０４と係合している状態を示し、それは、レール５２が第１長尺部６２に対して平行であることを意味する。
【００２３】
レールが第１支持部１００，１００’に結合されると、図９に示すように、２つの第２支持部１０２，１０２’がレール５２に結合される。一方の第２支持部１０２は第１支持部１００に位置合せされ、他方の第２支持部１０２’は第１支持部１００’に位置合せされる。レールは、スナップ嵌め操作によりタブ１１０間の空間に係合するように構成されている拡大縁部分１４２を備えた第２側方フランジ１４０を有している。２つの第２支持部１０２，１０２’がレール５２にクリップ留めされると、雄コネクタ１０６および雌コネクタ１０８の対応する対が相互接続する。
【００２４】
装置５０の組立は、相互係合可能な外形１５０，１５２を使用して第２長尺部６４を第１長尺部６２に結合することによって完成する。各第２支持部１０２，１０２’のばね部材１１４が、第２長尺部６４の上部に沿って延在する溝１５４内に導入される。ばね部材１１４を圧縮するように第２長尺部６４に圧力を加えることにより、第２長尺部６４の下部に沿って延在するフック状外形１５２が、第１長尺部６２の第２壁９２から突出している対応するフック状外形１５０と係合することができる。フック状外形１５０，１５２が相互係合すると、第１長尺部６２、第２長尺部６４の分離に耐えるように、充填材ストリップを間隙１５６内に導入することができる。
【００２５】
ここで、図１１を参照して、窓抱きの内周に装置５０を取り付ける方法について説明する。スクリーンシステム２００が、壁２０４の窓２０２を遮蔽するために使用される。スクリーンシステム２００は、ハウジング２０８のローラに取り付けられるジッパ状スクリーン２０６を備えている。ハウジングは、窓抱き２１２の下面２１０に水平に固定され、（第１支持部１００，１００’およびスペーサ部材１２０を備えた）第１長尺部６２は、窓抱き２１２の内側２１４に実質的に垂直に固定される。簡潔化のために、図１１は、第１長尺部６２の一部のみを示すが、実際には、第１長尺部６２はより長く、第１支持部１００，１００’およびスペーサ部材１２０の多くの対を含む。ジッパ状スクリーン２０６の側縁２１６をガイドとして使用することにより、その後、レール５２は、厳密に正しい位置において第１支持部１００，１００’に結合され、ジッパ状スクリーン２０６は、しわになるかまたは引っかかることなくレール５２によって確実に案内され得る。窓抱き２１２の内側２１４が厳密に垂直である場合、第１長尺部６２もまた垂直となり、レール５２は、各第１支持部１００，１００’の同じ外形（たとえば外形８４Ｃ）の構成要素１０４に係合することによって垂直に取り付けられる。しかしながら、窓抱き２１２の内側２１４が垂直面に対してわずかに傾斜している場合、第１長尺部６２もまた垂直面に対してわずかに傾斜させることができる。それにも関らず、レール５２を、依然として、第１支持部１００，１００’の異なる外形（たとえば外形８４Ａおよび外形８４Ｃ）の構成要素１０４に結合することによって、第１長尺部６２に垂直に取り付けることができる。
【００２６】
レール５２が、展開される際のジッパ状スクリーン２０６の側縁２１６と位置が合うように第１長尺部６２内に位置合せされると、図２〜図１０を参照して述べたように、装置の組立を完了することができる。対応するアセンブリ５０が、窓抱き２１２の反対側に固定される。そして、ジッパ状スクリーンは、展開され／格納される際に案内される用意ができる。第１支持部１００、１００’および第２支持部１０２，１０２’のばね部材１１４は、長尺状本体６０内で撓曲することができ、ジッパ状スクリーン２０６を、展開され／格納されると引っ掛けることなくぴんと張って維持するのに役立つように、第１長尺部６２および第２長尺部６４に対するレール５２のわずかな横方向移動を可能にする。
【図１Ａ】
2015508852.tif 000003
【図１Ｂ】
2015508852.tif 000004
【図２】
2015508852.tif 000005
【図３】
2015508852.tif 000006
【図４】
2015508852.tif 000007
【図５】
2015508852.tif 000008
【図６】
2015508852.tif 000009
【図７】
2015508852.tif 000010
【図８】
2015508852.tif 000011
【図９】
2015508852.tif 000012
【図１０】
2015508852.tif 000013
【図１１】
2015508852.tif 000014
【国際調査報告】
2015508852.tif 000015
2015508852.tif 000016